(57)【要約】  アンテナの特性の悪化を抑制するとともに、アンテナを水から保護するための防水空間を有する電子機器を提供する。平坦面（２ａ）における空間部（２ｄ）側の一端上には、両面テープ３が存在しており、平坦面（２ａ）における上記一端とは反対側の他端と両面テープ３との間には、貼り付けマージン幅Ａが設けられており、周壁（２ｂ）の側面（２ｅ）に沿ってアンテナエレメント（８）の一部が配置されている。
2016132797.tif 000002
【特許請求の範囲】
【請求項１】
第１筐体と第２筐体とを接着部材を介して貼り合わせ、上記第１筐体と上記第２筐体と上記接着部材とによって形成された防水空間を有する電子機器であって、
上記第２筐体は、上記防水空間の一部となる空間部を囲う周壁を備え、
上記周壁の上端部に設けられた平坦面上に上記接着部材が貼付されており、
上記平坦面における上記空間部側の一端上には、上記接着部材が存在しており、
上記平坦面における上記一端とは反対側の他端と上記接着部材との間には、貼り付けマージンが設けられており、
上記防水空間内の上記周壁の側面に沿ってアンテナの一部が配置されていることを特徴とする電子機器。
【請求項２】
上記アンテナを保持するアンテナホルダーを備えており、
上記アンテナホルダーは平坦面を備えており、
上記アンテナホルダーの平坦面は上記周壁の上端部に設けられた平坦面と略同じ高さに隣接するように配置され、
上記アンテナホルダーの平坦面上には、上記接着部材が延在されていることを特徴とする請求項１に記載の電子機器。
【請求項３】
上記防水空間には、上記周壁の側面に沿った形状の側面と、平坦面とを含む支持部材が備えられており、
上記支持部材の平坦面は上記周壁の上端部に設けられた平坦面と略同じ高さに隣接するように配置され、
上記支持部材の側面は上記周壁の側面に沿って配置され、
上記支持部材の平坦面上には、上記接着部材が延在されていることを特徴とする請求項１に記載の電子機器。
【請求項４】
上記アンテナホルダーの平坦面には、上記周壁の側面と対面する上記アンテナホルダーの側面から所定距離離れた位置に、上記接着部材の厚さ以下の突起が備えられており、
上記接着部材は、上記アンテナホルダーの側面から上記突起までの上記アンテナホルダーの平坦面の少なくとも一部に延在されていることを特徴とする請求項２に記載の電子機器。
【請求項５】
上記アンテナホルダーの平坦面には、上記周壁の側面と対面する上記アンテナホルダーの側面から所定距離離れた位置に凹部が備えられており、
上記接着部材は、上記アンテナホルダーの側面から上記凹部までの上記アンテナホルダーの平坦面の少なくとも一部に延在されていることを特徴とする請求項２に記載の電子機器。
【発明の詳細な説明】
【技術分野】
【０００１】
本発明は、筐体と防水性の接着部材とによって形成された防水空間内にアンテナが備えられたスマートフォンや携帯電話などの携帯機器を含む電子機器に関するものである。
【背景技術】
【０００２】
スマートフォンや携帯電話などの携帯機器を含む電子機器の分野においては、その機器の使用において、一般的な防水機能を備えていることが要求されている。例えば、下記特許文献１には、簡素な防水構造を有する携帯電話機の表示ユニットについて記載されている。一方で、アンテナを備えているスマートフォンや携帯電話などの携帯機器を含む電子機器においては、アンテナおよび基板などの部材を水から保護するためのアンテナ収容部を備えた構成についても開示されている。例えば、下記特許文献２には、防水性を有するアンテナ収容部が設けられた携帯端末について記載されている。【０００３】
図７（ａ）は、特許文献２に記載されている携帯端末２００の正面図であり、携帯端末２００は、通信機能を有するタブレット型コンピューターよりなり、表示部２０２が収容される矩形板状の正面側キャビネット２０３を備えている。図７（ｂ）は、図７（ａ）に図示した携帯端末の拡大断面図である。図示されているように、正面側キャビネット２０３と背面側キャビネット２０４とは両面テープ２０８で接着されている。テープ貼付部２０９は、正面側キャビネット２０３の周縁に沿って形成され、かつ、両面テープ２０８の幅よりも若干広くなっている。テープ貼付部２０９は、携帯端末２００の側面よりも内側である奥まった位置に配置されている。アンテナ収容部２１２には、メイン基板２０５とメインアンテナ２１０とが配置され、防水性を保つようになっている。
【先行技術文献】
【特許文献】
【０００４】
【特許文献１】日本国公開特許公報「特開２０１２−９５１５２号公報（２０１２年５月１７日公開）」
【特許文献２】日本国公開特許公報「特開２０１４−３２５８７号公報（２０１４年２月２０日公開）」
【発明の概要】
【発明が解決しようとする課題】
【０００５】
しかしながら、上記特許文献２に開示されている携帯端末２００のアンテナ収容部２１２においては、その一部に両面テープ２０８を貼り付ける正面側キャビネット２０３のテープ貼付部２０９である正面側キャビネット２０３の矩形枠状の突設した部分が、図中左右両方向に、両面テープ２０８の形成幅より、幅広く形成されている。このような正面側キャビネット２０３の矩形枠状の突設した部分のため、メインアンテナ２１０をメイン基板２０５からこれ以上遠ざけることはできない。このようにメイン基板２０５とメインアンテナ２１０が近接していると、基板ＧＮＤとアンテナとが近接することになり、アンテナ特性に影響を与えてしまうので問題となる。【０００６】
図８は、上記特許文献２に開示されている構成を備えた従来の他の電子機器３００の概略構成を示す図である。図８（ａ）は、上記特許文献２に開示されている電子機器３００の周縁部分の断面図であり、図８（ｂ）は、図８（ａ）に図示した点線部分の部分拡大図である。図８（ａ）に図示されているように、電子機器３００には、背面キャビネット３０１と、前面キャビネット３０２と、両面テープ３０３と、これらによって形成される防水空間内に配置された、基板３０４と、ケーブル（給電バネ）３０５を介して基板３０４に接続されているアンテナ３０６と、が備えられている。図８（ｂ）に図示されているように、両面テープ３０３の幅Ｂは、防水性を確保するのに必要な両面テープ３０３の最小幅である。そして、テープ貼付部である平坦面３０２ａの幅は、両面テープ３０３の幅Ｂに、外側貼り付けマージン幅Ａおよび内側貼り付けマージン幅Ｃが加えられた幅に形成されている。以上のように、平坦面３０２ａが形成されているため、電子機器３００においては、外側貼り付けマージン幅Ａと内側貼り付けマージン幅Ｃとを合わせた幅分、アンテナ３０６は図中右側に配置されることとなるので、基板３０４などの内部ＧＮＤからのアンテナ３０６の突出量が減少してしまい、アンテナ３０６の特性が悪化してしまうという問題が生じてしまう。【０００７】
本発明の目的は、アンテナの特性の悪化を抑制するとともに、アンテナを水から保護するための防水空間を有する電子機器を提供することにある。
【課題を解決するための手段】
【０００８】
本発明の電子機器は、上記課題を解決するために、第１筐体と第２筐体とを接着部材を介して貼り合わせ、上記第１筐体と上記第２筐体と上記接着部材とによって形成された防水空間を有する電子機器であって、上記第２筐体は、上記防水空間の一部となる空間部を囲う周壁を備え、上記周壁の上端部に設けられた平坦面上に上記接着部材が貼付されており、上記平坦面における上記空間部側の一端上には、上記接着部材が存在しており、上記平坦面における上記一端とは反対側の他端と上記接着部材との間には、貼り付けマージンが設けられており、上記防水空間内の上記周壁の側面に沿ってアンテナの一部が配置されていることを特徴としている。上記構成によれば、上記第２筐体の平坦面における上記空間部側の一端上には、上記接着部材が存在しているので、上記第２筐体の平坦面には、上記空間部側の一端とは反対側の他端と上記接着部材との間にのみ貼り付けマージンが設けられている。すなわち、上記第２筐体の平坦面の幅は、外側貼り付けマージン幅と内側貼り付けマージン幅との両方が考慮された従来の構成に比べると、内側貼り付けマージン幅分短く形成されている。したがって、上記防水空間内の上記周壁の側面に沿って配置されたアンテナの一部は、上記内側貼り付けマージン幅がない分、より外側に配置されることとなる。よって、上記防水空間内に上記アンテナに接続された基板などの部材が存在する場合、このような基板などの部材から上記アンテナの一部を従来に比べより遠くに離すことができ、上記アンテナの特性の悪化を抑制するとともに、上記アンテナを水から保護するための防水空間を有する電子機器を実現できる。
【発明の効果】
【０００９】
本発明の一態様によれば、アンテナの特性の悪化を抑制するとともに、アンテナを水から保護するための防水空間を有する電子機器を実現できる。
【図面の簡単な説明】
【００１０】
【図１】本発明の一実施形態に係る電子機器の概略構成を示す図である。
【図２】本発明の一実施形態に係る電子機器の変形例の概略構成を示す図である。
【図３】本発明の他の一実施形態に係る電子機器の概略構成を示す図である。
【図４】本発明のさらに他の一実施形態に係る電子機器の概略構成を示す図である。
【図５】本発明のさらに他の一実施形態に係る電子機器の変形例の構成を示す図である。
【図６】本発明のさらに他の一実施形態に係る電子機器の変形例の構成を示す図である。
【図７】特許文献２に記載されている防水性を有するアンテナ収容部が設けられた携帯端末の概略構成を説明するための図である。
【図８】特許文献２に開示されている構成を備えた従来の他の電子機器の概略構成を示す図である。
【発明を実施するための形態】
【００１１】
以下、図面に基づいて本発明の実施の形態について詳しく説明する。ただし、この実施の形態に記載されている構成の寸法、材質、形状、相対配置、加工法などはあくまで一実施形態に過ぎず、これらによってこの発明の範囲が限定解釈されるべきではない。さらに図面は模式的なものであり、寸法の比率、形状は現実のものとは異なる。
【００１２】
〔実施の形態１〕
以下、本発明の一実施形態について、図１および図２に基づいて説明する。図１は、携帯端末１３の概略構成を示す図であり、図１（ａ）は、携帯端末１３の周縁部分の断面図であり、図１（ｂ）は、図１（ａ）に図示した点線部分の部分拡大図である。図１（ａ）に図示されているように、携帯端末１３には、背面側キャビネット（第１筐体および第２筐体の何れか一方）１と、前面側キャビネット（第１筐体および第２筐体の他方）２と、背面側キャビネット１と前面側キャビネット２とを貼り合わせる両面テープ（接着部材）３と、が備えられている。背面側キャビネット１は、表面および裏面の両面が平坦面を有するので、裏面の平坦面１ａの一部を用いて、両面テープ３を介して前面側キャビネット２と貼り合わせられる。前面側キャビネット２は、両面テープ３を介して背面側キャビネット１と貼り合わせを行うための平坦面（両面テープ貼付け面ともいう）２ａと、上端部が平坦面２ａとなるように形成された周壁２ｂと、周壁２ｂと一体に形成された下面２ｃと、周壁２ｂおよび下面２ｃによって形成された空間部２ｄと、を備えている。空間部２ｄは、背面側キャビネット１と前面側キャビネット２とを両面テープ３を介して貼り合わせることによって、背面側キャビネット１と前面側キャビネット２と両面テープ３とによって形成された防水空間Ｐの一部となる。なお、図示されてないが、携帯端末１３の周縁全体において、背面側キャビネット１と前面側キャビネット２とが両面テープ３によって貼り合わせられており、その内側に防水空間Ｐが形成されるようになっている。防水空間Ｐには、基板４と、アンテナエレメント８（アンテナ）を保持するアンテナホルダー６とが配置されている。アンテナホルダー６は、側面２ｅに沿って、側面２ｅと隣接するように配置されており、アンテナエレメント８の一部が、防水空間Ｐ内の周壁２ｂの側面２ｅに沿って配置されている。基板４とアンテナエレメント８とは、給電部材５を介して電気的または高周波的に接続されている。本実施の形態においては、給電部材５として実装バネを用いているが、これに限定されることはなく、例えば、導電性クッションやビス固定やケーブルなどを用いることができる。なお、図示してないが、アンテナエレメント８は、基板４との接続を行うため、その一部が給電部材５と接続可能な位置まで引き延ばされている。本実施の形態においては、アンテナホルダー６における基板４などの内部ＧＮＤから遠い位置となる、アンテナホルダー６における周壁２ｂの側面２ｅに対向する面および背面側キャビネット１と対向する面に、アンテナエレメント８（アンテナ）を設けた場合を例に挙げて説明するが、これに限定されることはなく、アンテナエレメント８の一部が、防水空間Ｐ内の周壁２ｂの側面２ｅに沿って配置されていればよい。
【００１３】
図１（ｂ）に図示されているように、空間部２ｄに接する周壁２ｂ上の平坦面２ａの一端から周壁２ｂ上の平坦面２ａの上記一端とは反対側の他端までの幅は、防水性の確保に必要な両面テープ３の最小幅Ｄと両面テープ３の外側貼り付けマージン幅Ａとを合わせた幅で形成されている。すなわち、前面側キャビネット２の周壁２ｂ上の平坦面２ａの幅は、図８に図示されているような外側貼り付けマージン幅Ａと内側貼り付けマージン幅Ｃとの両方が考慮された従来の構成に比べると、内側貼り付けマージン幅Ｃ分短く形成されている。両面テープ３は、空間部２ｄに接する周壁２ｂ上の平坦面２ａの一端から設けられてもよいので、内側貼り付けマージン幅Ｃは不要である。そして、このような幅を有するように形成された平坦面２ａ上には、少なくとも防水性の確保に必要な最小幅Ｄ以上の幅で両面テープ３が設けられている。上記構成によれば、図１（ｂ）に図示されているように、周壁２ｂの側面２ｅに沿って、側面２ｅと隣接するように配置されたアンテナエレメント８は、内側貼り付けマージン幅Ｃがない分、より外側に配置されることとなる。よって、基板４などの内部ＧＮＤからアンテナエレメント８を従来に比べより遠くに離すことができ、アンテナエレメント８の特性の悪化を抑制するとともに、基板４およびアンテナエレメント８を水から保護するための防水空間Ｐを有する電子機器１３を実現できる。
【００１４】
なお、本実施の形態においては、平坦面２ａの幅が、防水性の確保に必要な両面テープ３の最小幅Ｄと両面テープ３の外側貼り付けマージン幅Ａとを合わせた幅で形成されている場合を例に挙げて説明したが、これに限定されることはなく、内側貼り付けマージン幅Ｃを省くことにより、平坦面２ａの幅が従来より短くなればよい。また、本実施の形態においては、樹脂の成型品であるアンテナホルダー６を用いて、アンテナホルダー６の表面にメッキを行い、アンテナエレメント８を設けたが、これに限定されることはない。例えば、板金で形成したアンテナエレメント８を、アンテナホルダー６にインサート成型または、アンテナホルダー６上にカシメ固定してもよく、フレキシブル基板で形成したアンテナエレメント８をアンテナホルダー６に貼り付けてもよい。上記何れの場合においても、アンテナエレメント８の一部が、防水空間Ｐ内の周壁２ｂの側面２ｅに沿って配置されていればよい。また、アンテナホルダー６を用いずに、アンテナエレメント８を配置してもよい。例えば、板金で形成したアンテナエレメント８を、背面側キャビネット１もしくは/および前面側キャビネット２の内側（防水空間Ｐ内）に貼り付け固定または、背面側キャビネット１もしくは/および前面側キャビネット２にインサート成型してもよく、フレキシブル基板で形成したアンテナエレメント８を背面側キャビネット１もしくは/および前面側キャビネット２の内側に貼り付け固定してもよい。上記何れの場合においても、アンテナエレメント８の一部が、防水空間Ｐ内の周壁２ｂの側面２ｅに沿って配置されていればよい。
【００１５】
（変形例１）
平坦面２ａの幅が、内側貼り付けマージン幅Ｃ分短く形成された電子機器１３において、両面テープ３を、平坦面２ａ上において、周壁２ｂの側面２ｅから外側（図１中の左側）に延在しようとすると、両面テープ３の貼付け誤差により、両面テープ３が平坦面（両面テープ貼付け面）２ａからはみ出し、その部分がアンテナホルダー６との間に挟まるといった生産面の問題や、両面テープ３の端が前面側キャビネット２の端になるのでその部分から剥がれが生じ、防水性が確保されない、という課題が生じ得る。そこで、本変形例１においては、アンテナホルダー６の平坦面６ａ上に、両面テープ３を延在する、すなわち、前面側キャビネット２の平坦面２ａから続けてアンテナホルダー６の平坦面６ａ上にも両面テープ３を設けることで、上記課題を解決した。
【００１６】
図２は、本実施の形態の変形例である携帯端末１４の概略構成を示す図であり、図２（ａ）は、携帯端末１４の周縁部分の断面図であり、図２（ｂ）は、図２（ａ）に図示した点線部分の部分拡大図である。図２（ａ）および図２（ｂ）に図示されているように、防水空間Ｐ内においては、アンテナホルダー６の平坦面６ａは、平坦面２ａと略同じ高さ（好ましくは同高さ）に隣接するように配置されているとともに、アンテナホルダー６は、側面２ｅに沿って、側面２ｅと隣接するように配置されている。アンテナホルダー６における基板４などの内部ＧＮＤから遠い位置となる、アンテナホルダー６における周壁２ｂの側面２ｅに対向する面および背面側キャビネット１と対向する面に、アンテナエレメント８（アンテナ）が設けられている。両面テープ３を平坦面２ａと平坦面６ａとを跨いで設け、両面テープ３の幅は、防水性の確保に必要な最小幅Ｄより大きい幅Ｅで設けられている。その際、平坦面２ａに貼り付けられた両面テープ３の幅は、少なくとも防水性の確保に必要な最小幅Ｄ以上とする必要がある。なお、両面テープ３を平坦面２ａとアンテナホルダー６とを跨いで設けるので、従来における内側貼り付けマージン幅Ｃは不要となる。このように、両面テープ３を平坦面２ａとアンテナホルダー６とを跨いで設けることにより、上述したアンテナホルダー６に設けられたアンテナエレメント８（アンテナ）の特性の悪化を抑制できることに加え、両面テープ３が平坦面２ａからはみ出し、その部分がアンテナホルダー６との間に挟まるといった問題が生じるのを抑制できるとともに、両面テープ３の端が前面側キャビネット２の端にならないので、両面テープ３の剥がれが生じるのを抑制できる。さらに、両面テープ３を平坦面２ａとアンテナホルダー６とを跨いで設けることにより、両面テープ３の幅を太くすることが可能なので作業性の向上や貼り付け強度の向上を図ることができる。
【００１７】
本実施の形態においては、接着部材として両面テープ３を用いた場合を例に挙げて説明しているが、これに限定されることはなく、背面側キャビネット１と前面側キャビネット２とを接着部材を介して貼り合わせ、背面側キャビネット１と前面側キャビネット２と接着部材とで形成される防水空間Ｐを形成できるのであれば、接着部材の種類は特に限定されない。唯、接着部材の種類によって、防水性の確保に必要な最小幅（防水性の確保に必要な接着部材の最小幅）は異なり得るので、用いる接着部材の種類に応じて、前面側キャビネット２の平坦面２ａの幅も変わり得る。なお、防水性の確保に必要な最小幅が変わると、外側貼り付けマージン幅Ａも変わり得る。なお、本実施の形態においては、電子機器の一例として、スマートフォンや携帯電話や通信機能を有するタブレット型コンピューターなどを含む携帯端末を挙げて説明するが、これに限定されることはなく、アンテナを備えた通信機能を有する電子機器であれば、本発明を好適に用いることができる。また、本実施の形態においては、前面側キャビネット２側にのみ空間部２ｄを設けた場合を例に挙げて説明したが、これに限定されることはなく、背面側キャビネット１側にのみ空間部を設けた構成としてもよく、さらに、背面側キャビネット１側と前面側キャビネット２側との両方に空間部を設けた構成としてもよい。
【００１８】
〔実施の形態２〕
次に、図３に基づいて、本発明の実施の形態２について説明する。本実施の形態においては、基板４やアンテナホルダー６や図示しない部品（例えば、レシーバ、スピーカ、バイブレーターなど）などを防水空間Ｐ内に保持する役割を有するホルダー（支持部材）７を備えている点において実施の形態１および変形例１とは異なり、その他については実施の形態１および変形例１において説明したとおりである。説明の便宜上、実施の形態１および変形例１の図面に示した部材と同じ機能を有する部材については、同じ符号を付し、その説明を省略する。
【００１９】
図３は、携帯端末１５の概略構成を示す図であり、図３（ａ）は、携帯端末１５の周縁部分の断面図であり、図３（ｂ）は、図３（ａ）に図示した点線部分の部分拡大図である。図３（ａ）および図３（ｂ）に図示されているように、携帯端末１５の防水空間Ｐには、基板４やアンテナホルダー６や図示しない部品などを防水空間Ｐ内に保持する役割を有するホルダー７が備えられている。ホルダー７は、平坦面７ａと、前面側キャビネット２の周壁２ｂの側面２ｅに沿った形状の側面７ｂとを含む。防水空間Ｐ内においては、ホルダー７の平坦面７ａは、平坦面２ａと略同じ高さに隣接するように配置されているとともに、ホルダー７の側面７ｂは、側面２ｅに沿って、側面２ｅと隣接するように配置されている。そして、ホルダー７の平坦面７ａ上にも、両面テープ３が延在されている、すなわち、平坦面２ａから続けて平坦面７ａ上にも両面テープ３が設けられている。この場合、両面テープ３は、平坦面２ａとホルダー７とを跨いで設けられているので、両面テープ３の幅は、防水性の確保に必要な最小幅Ｄより大きい幅Ｆで設けられている。その際、平坦面２ａに貼り付けられた両面テープ３の幅は、少なくとも防水性の確保に必要な最小幅Ｄ以上とする必要がある。なお、両面テープ３を平坦面２ａとホルダー７とを跨いで設けるので、従来における内側貼り付けマージン幅Ｃは不要となる。アンテナホルダー６は、側面２ｅと、ホルダー７の平坦面７ａに対向する下面と、に沿って、配置される。そして、アンテナホルダー６において、側面２ｅおよび上記下面と対向する２面、すなわち、基板４から遠い位置には、アンテナエレメント８が設けられている。上記構成によれば、ホルダー７が、両面テープ３とアンテナホルダー６のアンテナエレメント８との間に挿入されているので、両面テープ３はアンテナエレメント８に密着しない。したがって、両面テープ３の接着材材質による誘電損失の影響を受けないのでアンテナエレメント８（アンテナ）の特性の劣化を抑制することができる。また、補修時などにおいて、両面テープ３を剥がすことによるアンテナエレメント８の剥がれが生じないので、両面テープ３を剥がした後にもアンテナエレメント８が設けられたアンテナホルダー６の再利用が可能である。
【００２０】
なお、本実施の形態においては、平坦面２ａから続けて平坦面７ａ上にも両面テープ３を設けている場合を、例に挙げて説明しているが、これに限定されることはなく、ホルダー７が、両面テープ３とアンテナホルダー６のアンテナエレメント８との間に挿入されている場合においても、少なくとも防水性の確保に必要な最小幅Ｄ以上の幅を有する両面テープ３が、平坦面２ａ上にのみ設けられていてもよい。
【００２１】
〔実施の形態３〕
次に、図４、図５および図６に基づいて、本発明の実施の形態３について説明する。本実施の形態においては、アンテナホルダー９・１０・１２の形状が、上述した実施の形態１や実施の形態２や変形例１とは異なり、その他については実施の形態１、実施の形態２および変形例１において説明したとおりである。説明の便宜上、実施の形態１、実施の形態２および変形例１の図面に示した部材と同じ機能を有する部材については、同じ符号を付し、その説明を省略する。
【００２２】
図４は、携帯端末１６の概略構成を示す図であり、図４（ａ）は、携帯端末１６の周縁部分の断面図であり、図４（ｂ）は、図４（ａ）に図示した点線部分の部分拡大図である。図４（ａ）および図４（ｂ）に図示されているように、携帯端末１６の防水空間Ｐには、アンテナホルダー９が備えられている。アンテナホルダー９は、両面テープ３の厚さ以下の突起９ａが、平坦面９ｂの一部上に設けられた形状となっている。なお、突起９ａは、側面２ｅと対面する側面９ｃから所定距離離れた位置に設けられている。なお、突起９ａの高さを両面テープ３の厚さ以下としたのは、両面テープ３の厚さは、背面側キャビネット１と前面側キャビネット２との貼り合わせの際に加えられる力によって、縮まるためである。防水空間Ｐ内においては、平坦面９ｂは、突起９ａが平坦面１ａと接触することにより、平坦面２ａと略同じ高さに隣接するように配置されているとともに、側面９ｃは、側面２ｅに沿って、側面２ｅと隣接するように配置されている。そして、平坦面９ｂ上にも、両面テープ３が延在されている、すなわち、平坦面２ａから続けて平坦面９ｂ上にも両面テープ３が設けられている。この場合、両面テープ３は、平坦面２ａとアンテナホルダー９とを跨いで設けられているので、両面テープ３の幅は、防水性の確保に必要な最小幅Ｄより大きい幅Ｇで設けられている。その際、平坦面２ａに貼り付けられた両面テープ３の幅は、少なくとも防水性の確保に必要な最小幅Ｄ以上とする必要がある。なお、両面テープ３を平坦面２ａとアンテナホルダー９とを跨いで設けるので、従来における内側貼り付けマージン幅Ｃは不要となる。アンテナホルダー９は、側面２ｅと、平坦面１ａと、に沿って、配置される。そして、アンテナホルダー９における基板４から遠い位置である、突起９ａと、平坦面９ｂと、側面９ｃと、には、アンテナエレメント８が設けられている。上記構成によれば、突起９ａによって、両面テープ３の貼りズレを防ぐことが出来る。さらに、アンテナホルダー９は突起９ａを有するので、基板４などの内部ＧＮＤからアンテナホルダー９の突起９ａ部分をより遠くに離すことができ、アンテナホルダー９に設けられたアンテナエレメント８（アンテナ）の特性の悪化を抑制できる。
【００２３】
なお、本実施の形態においては、突起９ａ上にアンテナエレメント８を設けるため、突起９ａの幅を広く形成しているが、これに限定されることはなく、突起９ａ上にアンテナエレメント８を設けない場合には、突起９ａの幅を狭くしてもよい。また、本実施の形態においては、アンテナホルダー９に突起９ａを設けた場合を例に挙げて説明したが、これに限定されることはなく、突起は、実施の形態２における図３に図示されたホルダー（支持部材）７の平坦面７ａに設けられてもよい。このように突起がホルダー７の平坦面７ａに設けられている場合には、両面テープ３の貼りズレを防ぐことが出来る。
【００２４】
（変形例２）
図５は、本実施の形態の変形例である携帯端末１７の概略構成を示す図であり、図５（ａ）は、携帯端末１７の周縁部分の断面図であり、図５（ｂ）は、図５（ａ）に図示した点線部分の部分拡大図である。図５（ａ）および図５（ｂ）に図示されているように、携帯端末１７の防水空間Ｐには、アンテナホルダー１０が備えられている。アンテナホルダー１０は、凹部１０ａが平坦面１０ｂの一部上に設けられた形状となっている。すなわち、凹部１０ａは、両面テープ３が貼付けされる面である平坦面１０ｂよりも高さが低い。なお、凹部１０ａは、側面２ｅと対面するアンテナホルダー１０の側面１０ｃから所定距離離れた位置に設けられている。防水空間Ｐ内においては、平坦面１０ｂは、平坦面２ａと略同じ高さに隣接するように配置されているとともに、側面１０ｃは、側面２ｅに沿って、側面２ｅと隣接するように配置されている。そして、平坦面１０ｂ上にも、両面テープ３が延在されている、すなわち、平坦面２ａから続けて平坦面１０ｂ上にも両面テープ３が設けられている。この場合、両面テープ３は、平坦面２ａとアンテナホルダー１０とを跨いで設けられているので、両面テープ３の幅は、防水性の確保に必要な最小幅Ｄより大きい幅Ｈで設けられている。その際、平坦面２ａに貼り付けられた両面テープ３の幅は、少なくとも防水性の確保に必要な最小幅Ｄ以上とする必要がある。なお、両面テープ３を平坦面２ａとアンテナホルダー１０とを跨いで設けるので、従来における内側貼り付けマージン幅Ｃは不要となる。凹部１０ａの幅は、アンテナエレメント８を設けることができる幅に形成されており、凹部１０ａには、アンテナエレメント８が設けられている。
【００２５】
上記構成によれば、凹部１０ａには、アンテナエレメント８が設けられているので、アンテナエレメント８と背面側キャビネット１との距離を確保できる。したがって、背面側キャビネット１の材質として、強度や装飾目的で、アンテナホルダー１０に設けられたアンテナエレメント８（アンテナ）の特性に大きな損失を与える材質が使われる場合でも、アンテナ特性の劣化を抑制できる。
【００２６】
（変形例３）
図６は、本実施の形態の他の変形例である携帯端末１８の概略構成を示す図であり、図６（ａ）は、携帯端末１８の周縁部分の断面図であり、図６（ｂ）は、図６（ａ）に図示した点線部分の部分拡大図である。図６（ａ）および図６（ｂ）に図示されているように、携帯端末１８の防水空間Ｐには、アンテナホルダー１２が備えられている。アンテナホルダー１２は、平坦面１２ａと、側面１１ｆに備えられた係合部（第１の係合部）１１ｂと互いに嵌合する形状に形成された係合部（第２の係合部）１２ｂと、を備えている。なお、本実施の形態においては、係合部１１ｂおよび係合部１２ｂは、突起部と凹部とを有するように形成され、係合部１１ｂの突起部は係合部１２ｂの凹部に嵌り、係合部１２ｂの突起部は係合部１１ｂの凹部に嵌る形状に形成されている。したがって、前面側キャビネット１１の係合部１１ｂの凹部部分まで、アンテナエレメント８を延長でき、結果として、基板４などの内部ＧＮＤからアンテナエレメント８をより遠くに離すことができ、アンテナエレメント８（アンテナ）の特性の悪化を抑制することができる。係合部１１ｂ部分を含めた平坦面１１ａの幅は、防水性の確保に必要な両面テープ３の最小幅Ｄと両面テープ３の外側貼り付けマージン幅Ａとを合わせた幅で形成されている。平坦面１２ａは、平坦面１１ａと略同じ高さに隣接するように配置されている。そして、平坦面１２ａ上にも、両面テープ３が延在されている、すなわち、平坦面１１ａから続けて平坦面１２ａ上にも両面テープ３が設けられている。この場合、両面テープ３は、平坦面１１ａとアンテナホルダー１２とを跨いで設けられているので、両面テープ３の幅は、防水性の確保に必要な最小幅Ｄより大きい幅Ｉで設けられている。その際、平坦面１１ａに貼り付けられた両面テープ３の幅は、少なくとも防水性の確保に必要な最小幅Ｄ以上とする必要がある。なお、両面テープ３を平坦面１１ａとアンテナホルダー１２の平坦面１２ａとを跨いで設けるので、従来における内側貼り付けマージン幅Ｃは不要となる。そして、アンテナホルダー１２における基板４から遠い位置である、平坦面１２ａ上の周壁１１ｃに近い領域と、係合部１２ｂと、には、アンテナエレメント８が設けられている。
【００２７】
〔まとめ〕
本発明の態様１における電子機器は、第１筐体と第２筐体とを接着部材を介して貼り合わせ、上記第１筐体と上記第２筐体と上記接着部材とによって形成された防水空間を有する電子機器であって、上記第２筐体は、上記防水空間の一部となる空間部を囲う周壁を備え、上記周壁の上端部に設けられた平坦面上に上記接着部材が貼付されており、上記平坦面における上記空間部側の一端上には、上記接着部材が存在しており、上記平坦面における上記一端とは反対側の他端と上記接着部材との間には、貼り付けマージンが設けられており、上記防水空間内の上記周壁の側面に沿ってアンテナの一部が配置されていることを特徴としている。上記構成によれば、アンテナの特性の悪化を抑制するとともに、アンテナを水から保護するための防水空間を有する電子機器を実現できる。
【００２８】
本発明の態様２における電子機器は、上記態様１において、上記平坦面における上記一端から上記他端までの幅は、防水性の確保に必要な上記接着部材の最小幅と上記他端側の上記貼り付けマージンの幅とを合わせた幅であり、上記接着部材は、上記平坦面上において上記最小幅以上の幅を有していてもよい。上記構成によれば、アンテナの特性の悪化を抑制するとともに、アンテナを水から保護するための防水空間を有する電子機器を実現できる。
【００２９】
本発明の態様３における電子機器は、上記態様１または２において、上記アンテナを保持するアンテナホルダーを備えており、上記アンテナホルダーは平坦面を備えており、上記アンテナホルダーの平坦面は上記周壁の上端部に設けられた平坦面と略同じ高さに隣接するように配置され、上記アンテナホルダーの平坦面上には、上記接着部材が延在されていてもよい。上記構成によれば、接着部材がアンテナホルダーとの間に挟まるといった問題や接着部材に剥がれが生じるという問題を抑制できるとともに、作業性の向上や貼り付け強度の向上を図ることができる。
【００３０】
本発明の態様４における電子機器は、上記態様１または２において、上記防水空間には、上記周壁の側面に沿った形状の側面と、平坦面とを含む支持部材が備えられており、上記支持部材の平坦面は上記周壁の上端部に設けられた平坦面と略同じ高さに隣接するように配置され、上記支持部材の側面は上記周壁の側面に沿って配置され、上記支持部材の平坦面上には、上記接着部材が延在されていてもよい。上記構成によれば、接着部材の材質による誘電損失の影響を受けないのでアンテナの特性の劣化を抑制することができるとともに、接着部材を剥がした後にもアンテナの再利用が可能である。
【００３１】
本発明の態様５における電子機器は、上記態様３において、上記アンテナホルダーの平坦面には、上記周壁の側面と対面する上記アンテナホルダーの側面から所定距離離れた位置に、上記接着部材の厚さ以下の突起が備えられており、上記接着部材は、上記アンテナホルダーの側面から上記突起までの上記アンテナホルダーの平坦面の少なくとも一部に延在されていてもよい。上記構成によれば、突起によって、接着部材の貼りズレを防ぐことが出来る。また、アンテナホルダーの突起は、基板などからより遠くに離すことができ、アンテナホルダーに備えられたアンテナの特性の悪化を抑制することができる。
【００３２】
本発明の態様６における電子機器は、上記態様３において、上記アンテナホルダーの平坦面には、上記周壁の側面と対面する上記アンテナホルダーの側面から所定距離離れた位置に凹部が備えられており、上記接着部材は、上記アンテナホルダーの側面から上記凹部までの上記アンテナホルダーの平坦面の少なくとも一部に延在されていてもよい。上記構成によれば、アンテナホルダーの平坦面には凹部が備えられているので、上記第１筐体との距離を確保できる。したがって、上記第１筐体の材質として、強度や装飾目的で、アンテナホルダーに備えられたアンテナの特性に大きな損失を与える材質が使われる場合でも、アンテナ特性の劣化を抑制できる。
【００３３】
本発明の態様７における電子機器は、上記態様３において、上記周壁の側面には第１の係合部が備えられており、上記周壁の側面と対面する上記アンテナを備えたアンテナホルダーの側面には第２の係合部が備えられており、上記第１の係合部および上記第２の係合部の各々は、突起部と凹部とを有し、互いに嵌合する構成であってもよい。上記構成によれば、上記第１の係合部の凹部部分までアンテナを延長できるので、基板などからアンテナをより遠くに離すことができ、アンテナの特性の悪化を抑制することができる。
【００３４】
本発明の態様８における電子機器は、上記態様４において、上記支持部材の平坦面には、上記周壁の側面と対面する上記支持部材の側面から所定距離離れた位置に上記接着部材の厚さ以下の突起が備えられており、上記接着部材は、上記支持部材の側面から上記突起までの上記支持部材の平坦面の少なくとも一部に延在されていてもよい。上記構成によれば、突起によって、接着部材の貼りズレを防ぐことが出来る。
【００３５】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００３６】
本発明は、アンテナが備えられたスマートフォンや携帯電話などの携帯機器を含む電子機器に好適に用いることができる。
【符号の説明】
【００３７】
１            背面側キャビネット（第１筐体および第２筐体の何れか一方）
２、１１      前面側キャビネット（第１筐体および第２筐体の他方）
２ａ、１１ａ  平坦面
２ｂ、１１ｃ  周壁
２ｃ、１１ｄ  下面（面）
２ｄ、１１ｅ  空間部
２ｅ、１１ｆ  周壁の側面
３            両面テープ（接着部材）
４            基板
５            給電部材
６、９、１０、１２  アンテナホルダー
６ａ、９ｂ、１０ｂ、１２ａ  アンテナホルダーの平坦面
７            ホルダー（支持部材）
８            アンテナエレメント（アンテナ）
９ａ          突起
９ｃ、１０ｃ  アンテナホルダーの側面
１０ａ        凹部
１１ｂ        係合部（第１の係合部）
１２ｂ        係合部（第２の係合部）
１３、１４、１５、１６、１７、１８  携帯端末（電子機器）
Ａ            外側貼り付けマージン幅（接着部材の一方側の貼り付けマージン幅）
Ｐ            防水空間
Ｄ            防水性の確保に必要な両面テープの最小幅（接着部材の最小幅）
【図１】
2016132797.tif 000003
【図２】
2016132797.tif 000004
【図３】
2016132797.tif 000005
【図４】
2016132797.tif 000006
【図５】
2016132797.tif 000007
【図６】
2016132797.tif 000008
【図７】
2016132797.tif 000009
【図８】
2016132797.tif 000010
【国際調査報告】
2016132797.tif 000011
2016132797.tif 000012